(57)【要約】      （修正有）【課題】表示画面の色ずれおよび表示ムラの発生を抑制することが可能な投射型表示装置を提供する。【解決手段】投射型表示装置は、液晶表示素子２２と、液晶表示素子を保持する台座部６とを備え、液晶表示素子は、側面が第１の接合部材６１Ａによって、裏面が第２の接合部材６１Ｂによって台座部に接合されており、第１の接合部材のヤング率は、第２の接合部材のヤング率よりも大きい。【選択図】図１
2018081284.tif 000002
【特許請求の範囲】
【請求項１】
液晶表示素子と、
前記液晶表示素子を保持する台座部とを備え、
前記液晶表示素子は、側面が第１の接合部材によって、裏面が第２の接合部材によって前記台座部に接合されており、
前記第１の接合部材のヤング率は、前記第２の接合部材のヤング率よりも大きい
投射型表示装置。
【請求項２】
前記第１の接合部材のヤング率は、３Ｎ／ｍｍ2以上２１０Ｎ／ｍｍ2以下であり、
前記第２の接合部材のヤング率は、０．１Ｎ／ｍｍ2以上２．５Ｎ／ｍｍ2以下である、請求項１に記載の投射型表示装置。
【請求項３】
前記第１の接合部材を介して前記液晶表示素子の側面と前記台座部とが接合された１または複数の第１の接合部と、
前記第２の接合部材を介して前記液晶表示素子の裏面と前記台座部とが接合された１または複数の第２の接合部とを有し、
前記第１の接合部と前記第２の接合部とは、互いに離間した位置に配置されている、請求項１に記載の投射型表示装置。
【請求項４】
前記台座部は一の面に第１の開口部を有し、
前記第１の開口部は、前記液晶表示素子の裏面と接合される底面部と、前記液晶表示素子の側面と接合される側面部とを有する、請求項３に記載の投射型表示装置。
【請求項５】
前記台座部は、前記底面部の前記液晶表示素子の裏面との対向領域の内側に溝を有する、請求項４に記載の投射型表示装置。
【請求項６】
前記台座部は、前記底面部の前記液晶表示素子の裏面との対向領域の内側に環状の溝を有し、前記環状の溝の内側に前記第２の接合部が設けられている、請求項４に記載の投射型表示装置。
【請求項７】
前記台座部は、前記底面部の周縁の少なくとも一部に窪みが形成されている、請求項５に記載の投射型表示装置。
【請求項８】
前記窪みは、前記第１の接合部の下方に形成されている、請求項７に記載の投射型表示装置。
【請求項９】
前記液晶表示素子は矩形形状を有する場合に、前記第１の接合部は、少なくとも３箇所形成されている、請求項３に記載の投射型表示装置。
【請求項１０】
前記台座部は、前記一の面とは反対側の他の面に放熱構造を有する、請求項４に記載の投射型表示装置。
【請求項１１】
前記台座部は、前記一の面とは反対側の他の面の一部に第２の開口部を有し、前記第２の開口部内にヒートシンクが配設されている、請求項４に記載の投射型表示装置。
【請求項１２】
前記第１の接合部材は、接着剤である、請求項１に記載の投射型表示装置。
【請求項１３】
前記第２の接合部材は、接着剤または粘着剤である、請求項１に記載の投射型表示装置。
【請求項１４】
前記第２の接合部材は、熱伝導接着剤である、請求項１に記載の投射型表示装置。
【請求項１５】
照明光学系と、
前記液晶表示素子を有し、入力された映像信号に基づいて前記照明光学系からの光を変調することにより、画像光を生成する画像生成部と、
前記画像生成部で生成された画像光を投射する投射光学系とを備える、請求項１に記載の投射型表示装置。
【発明の詳細な説明】
【技術分野】
【０００１】
本技術は、例えば、ライトバルブとして台座部に固定された液晶表示素子を備えた投射型液晶表示装置に関する。
【背景技術】
【０００２】
近年、オフィスだけでなく、家庭でも、スクリーンに映像を投影するプロジェクタが広く利用されている。プロジェクタは、光源からの光をライトバルブで変調することにより画像光を生成し、スクリーンに投射して表示を行うものである。ライトバルブは、液晶パネルで構成されており、各画素が外部からの映像信号に応じてアクティブマトリクス駆動されることにより、光を変調するようになっている。
【０００３】
プロジェクタが家庭で普及するに伴い、プロジェクタの小型化、ひいてはプロジェクタの高精細化が進んでいる。３板方式のプロジェクタでは、ＲＧＢパネルそれぞれの固定位置がずれた場合には、色ずれが生じてしまう。特に、高精細パネルでは画素ピッチが小さくなるので、投射画面上では色ずれが視認されやすくなる。そのため、例えば、特許文献１では、電気光学パネル（液晶パネル）を支持する支持部の電気光学パネルを固定する固定面の周囲に環状の溝を設けることで色ずれを生じ難くした電気光学装置が開示されている。
【先行技術文献】
【特許文献】
【０００４】
【特許文献１】特開２０１３−６８８４５号公報
【発明の概要】
【発明が解決しようとする課題】
【０００５】
ところで、プロジェクタには、さらなる表示品位の向上が期待されており、具体的には、表示画面における色ずれおよび表示ムラの改善が望まれているが、色ずれと表示ムラとはトレードオフの関係にあるため両立することは難しい。
【０００６】
表示画面の色ずれおよび表示ムラの発生を抑制することが可能な投射型表示装置を提供することが望ましい。
【課題を解決するための手段】
【０００７】
本開示の一実施の形態の投射型表示装置は、液晶表示素子と、液晶表示素子を保持する台座部とを備えたものであり、液晶表示素子は、側面が第１の接合部材によって、裏面が第２の接合部材によって台座部に接合されており、第１の接合部材のヤング率は、第２の接合部材のヤング率よりも大きい。
【０００８】
本開示の一実施の形態の投射型表示装置では、液晶表示素子の側面および裏面を用いて台座部に固定することにより、台座部に対する液晶表示素子の接合強度を向上し、液晶表示素子の位置ずれの発生を抑制することが可能となる。また、液晶表示素子の側面と台座部および裏面と台座部の固定に、互いにヤング率の異なる接合部材を用い、液晶表示素子の側面と台座部との接合部材（第１の接合部材）の方が、液晶表示素子の裏面と台座部との接合部材（第２の接合部材）よりも大きくなるようにした。これにより、台座部から液晶表示素子に印加される応力を低減することが可能となる。
【発明の効果】
【０００９】
本開示の一実施の形態の投射型表示装置によれば、液晶表示素子の側面および裏面を用いて台座部に固定したので、液晶表示素子の台座部に対する十分な接合強度が得られるようになり、液晶表示素子の位置ずれの発生が抑制される。また、液晶表示素子の側面と台座部とを接合する第１の接合部材として、液晶表示素子の裏面と台座部とを接合する第２の接合部材よりもヤング率の大きな接合部材を用いるようにしたので、台座部から液晶表示素子に印加される応力が低減される。よって、表示画面における色ずれおよび表示ムラの発生を抑制することが可能となる。
【００１０】
なお、ここに記載された効果は必ずしも限定されるものではなく、本開示中に記載されたいずれの効果であってもよい。
【図面の簡単な説明】
【００１１】
【図１】本開示の第１の実施の形態に係る液晶ライトバルブの構成を表す平面模式図である。
【図２】図１に示した液晶ライトバルブ断面構成の一例を表す模式図である。
【図３Ａ】図１に示した液晶ライトバルブにおける液晶表示素子と台座部とにおける接合部の位置の一例を表す図である。
【図３Ｂ】図１に示した液晶ライトバルブにおける液晶表示素子と台座部とにおける接合部の位置の他の例を表す図である。
【図３Ｃ】図１に示した液晶ライトバルブにおける液晶表示素子と台座部とにおける接合部の位置の他の例を表す図である。
【図４】図１に示した液晶ライトバルブの断面構成の他の例を表す模式図である。
【図５】図１に示した液晶ライトバルブを備えた投射型表示装置の全体構成を示す図である。
【図６】図１に示した液晶ライトバルブの概略構成を示す図である。
【図７Ａ】図１に示した液晶ライトバルブの一部を展開したときの上面構成例を表す図である。
【図７Ｂ】図１に示した液晶ライトバルブの一部を展開したときの下面構成例を表す図である。
【図７Ｃ】図１に示した液晶ライトバルブの一部を展開したときの側面構成例を表わす図である。
【図８Ａ】図７ＡのＦＰＣを折り曲げたときの上面構成例を表す図である。
【図８Ｂ】図７ＡのＦＰＣを折り曲げたときの下面構成例を表す図である。
【図８Ｃ】図７ＡのＦＰＣを折り曲げたときの側面構成例を表す図である。
【図９Ａ】液晶ライトバルブの上面構成例を表す図である。
【図９Ｂ】図９Ａに示した液晶ライトバルブの一の断面構成例を表す図である。
【図９Ｃ】図９Ａに示した液晶ライトバルブの他の断面構成例を表す図である。
【図１０】図９Ｂの液晶ライトバルブを拡大したときの断面構成例を示す図である。
【図１１】本開示の第２の実施の形態に係る液晶ライトバルブの構成を表す平面模式図である。
【図１２】図１１に示した液晶ライトバルブの断面構成の一例を表す模式図である。
【図１３】本開示の第３の実施の形態に係る液晶ライトバルブの構成を表す平面模式図である。
【図１４】図１３に示した液晶ライトバルブの断面構成の一例を表す模式図である。
【図１５】本開示の第４の実施の形態に係る液晶ライトバルブの構成を表す平面模式図である。
【図１６】図１５に示した液晶ライトバルブの断面構成の一例を表す模式図である。
【図１７】本開示の第５の実施の形態に係る液晶ライトバルブの構成を表す平面模式図である。
【図１８】図１７に示した液晶ライトバルブの断面構成の一例を表す模式図である。
【図１９】単板式投射型表示装置の全体構成を示す図である。
【図２０】透過型のライトバルブを備えた投射型表示装置の全体構成を示す図である。
【発明を実施するための形態】
【００１２】
本開示における一実施形態について、図面を参照して詳細に説明する。なお、説明する順序は、下記の通りである。
１．第１の実施の形態（液晶パネルの側面と台座部、液晶パネルの裏面と台座部とでそれぞれ異なる接合部材を用いて固定した例）
１−１．液晶ライトバルブおよびその台座部の構成
１−２．投射型表示装置の構成
１−３．投射型表示装置の動作
１−４．作用・効果
２．第２の実施の形態（液晶パネルの裏面を固定する台座部の底面部に溝部を設けた例）
３．第３の実施の形態（液晶パネルの裏面側の接合部の周囲に環状の溝部を設けた例）
４．第４の実施の形態（底面部の周縁部に窪みを設けた例）
５．第５の実施の形態（液晶パネルの裏面全面を固定すると共に、台座部の裏面に放熱構造を設けた例）
６．変形例
６−１．変形例１（単板式投射型表示装置）
６−２．変形例２（透過型液晶ライトバルブを備えた３板式投射型表示装置）
【００１３】
＜１．実施の形態＞
図１は、本開示の第１の実施の形態に係る投射型表示装置（投射型表示装置１０、例えば図５参照）に用いられる液晶ライトバルブ２１の平面構成を模式的に表したものである。液晶ライトバルブ２１は、例えば、液晶素子２および保護基板３を含むパネル部２２（液晶表示素子、いずれも図２参照）と、パネル部２２に接続されたフレキシブルプリント基板（ＦＰＣ：Flexible printed circuits）２３（以下、ＦＰＣ２３と称す）とを有している。液晶ライトバルブ２１は、さらに、例えば、パネル部２２を支持する台座部６を有している。台座部６は、液晶素子２と対向する部分に開口部６Ｈ１（第１の開口部）を有しており、この開口部６Ｈ１の側面（側面部６Ａ）および底面（底面部６Ｂ）が、パネル部２２を支持する支持面となっている。本実施の形態の液晶ライトバルブ２１では、パネル部２２の側面および裏面が、互いにヤング率の異なる接合部材（第１の接合部材および第２の接合部材）によって、台座部６の側面部６Ａおよび底面部６Ｂに、それぞれ固定された構成を有する。
【００１４】
（１−１．液晶ライトバルブの構成）
液晶ライトバルブ２１は、入力された映像信号に基づいて入射光を変調することにより、各色の映像光を生成するものである。液晶ライトバルブ２１は、上記のように、液晶素子２および保護基板３を含む、例えば矩形形状のパネル部２２と、ＦＰＣ２３とを有している。液晶素子２は、反射型の液晶パネルであり、図示しないが、画素電極としても機能する反射電極と、液晶層と、共通電極として機能する透明電極とを、当該液晶素子２の下面側から順に積層してなる積層体である。保護基板３は、液晶素子２を保護するものであり、例えば、可視光に対して透明な部材（例えばガラス基板）で構成されている。保護基板３は、液晶素子２の上面に貼り合わされている。保護基板３の大きさは、ＸＹ平面方向において、液晶素子２と同じ大きさでもよいし、液晶素子２よりも小さくてもよい。
【００１５】
ＦＰＣ２３は、詳細は後述するが、液晶素子２に対して、後述するデジタル信号や走査タイミング制御信号を供給するＦＰＣ４およびＦＰＣ５を含んで構成されたものである（例えば、図１０参照）。
【００１６】
台座部６は、例えば略矩形形状を有する板状部材である。台座部６は、一面に液晶素子２よりも大きく、パネル部２２を収容することが可能な開口部６Ｈ１を有しており、上記のように、この開口部６Ｈ１の側面部６Ａおよび底面部６Ｂが、パネル部２２を支持する支持面となっている。開口部６Ｈ１のＺ軸方向の深さは、例えば、パネル部２２の側面と台座部６との接合面積を十分に確保できることが望ましく、例えば、図２に示したように、液晶素子２および保護基板３を含むパネル部２２の厚みよりも深いことが好ましい。開口部６Ｈ１の周辺には、例えば台座部６を投射型表示装置１０内に取り付ける際に用いる開孔６Ｘが、例えば四隅に設けられている。なお、この開孔６Ｘは、必ずしも台座部６の四隅に設けられている必要はなく、その他の位置に形成されていてもよい。また、取り付け方法によって、開孔６Ｘは必ずしも設ける必要はない。
【００１７】
図２は、図１に示した液晶ライトバルブ２１（パネル部２２および台座部６）のＩ−Ｉ線における断面構成の一例を表したものである。パネル部２２は、側面接合部６１Ａを介して台座部６の側面部６Ａに、裏面接合部６１Ｂを介して台座部６の底面部６Ｂに接合されている。側面接合部６１Ａおよび裏面接合部６１Ｂは、互いに異なるヤング率を有する接合部材によって形成されている。側面接合部６１Ａは、パネル部２２を台座部６に固定するためのものであり、裏面接合部６１Ｂは、パネル部２２の位置ずれ（横ずれ）を防ぐためのものである。このため、側面接合部６１Ａを形成する接合部材（第１の接合部材）のヤング率は、裏面接合部６１Ｂを形成する接合部材（第２の接合部材）のヤング率よりも大きいことが好ましい。具体的には、第１の接合部材のヤング率は、３Ｎ／ｍｍ2以上２１０Ｎ／ｍｍ2以下であることが好ましく、第２の接合部材のヤング率は、０．１Ｎ／ｍｍ2以上２．５Ｎ／ｍｍ2以下であることが好ましい。このような第１の接合部材としては、例えば、紫外線硬化型の接着剤が挙げられる。第２の接合部材としては、例えば、紫外線硬化型弾性接着剤あるいは粘着剤が挙げられる。
【００１８】
なお、台座部６の裏面接合部６１Ｂを形成する位置には、裏面接合部６１Ｂの厚み分の窪みが形成されていることが好ましい。裏面接合部６１Ｂの厚みは、５０μｍ以上５００μｍ以下である。台座部６に裏面接合部６１Ｂの厚み分の窪みを設けることで、パネル部２２の裏面が台座部６によって支持されるようになり、パネル部２２が図１でいうＸＹ方向にかかる外部荷重に対して高い保持力を発揮し、角度を含む表示面の位置ズレの発生を防ぐことが可能となる。
【００１９】
側面接合部６１Ａおよび裏面接合部６１Ｂは、それぞれ複数設けられており、互いに離間した位置に設けられることが好ましい。具体的には、例えば、図３Ａに示したように、側面接合部６１Ａは、パネル部２２の対向する一対の側面（台座部６の対向する一対の側面部６Ａ）に、それぞれ２ヶ所ずつ設け、裏面接合部６１Ｂは、パネル部２２の四隅（台座部６の底面部６Ｂの四隅）に設けるようにしてもよい。図３Ｂに示したように、側面接合部６１Ａは、パネル部２２の対向する一対の側面（台座部６の対向する一対の側面部６Ａ）に、それぞれ２ヶ所ずつ設け、裏面接合部６１Ｂは、パネル部２２の各辺の中央付近に設けるようにしてもよい。あるいは、図３Ｃに示したように、側面接合部６１Ａは、パネル部２２の４辺のうちのＦＰＣ２３が設けられている辺を除く３辺の中央付近に１ヶ所ずつ、計３ヶ所設け、裏面接合部６１Ｂは、パネル部２２の各辺の四隅（台座部６の底面部６Ｂの四隅）に設けるようにしてもよい。
【００２０】
なお、図３Ａ〜図３Ｃでは、側面接合部６１Ａが、パネル部２２を構成する液晶素子２および保護基板３の両方の側面に接してパネル部２２を台座部６に固定している例を示したがこれに限らない。例えば、側面接合部６１Ａは、液晶素子２の側面にのみ接してパネル部２２を台座部６に固定するようにしてもよい。
【００２１】
また、台座部６は、図４に示したように、パネル部２２を固定する支持面とは反対側の面に開口部６Ｈ１よりも小さく、例えば台座部６を貫通する開口部６Ｈ２（第２の開口部）を設け、その内部に液晶素子２から発せられる熱を放散するヒートシンク７を設置するようにしてもよい。ヒートシンク７は、例えば、開口部６Ｈ２の内部に、接着剤（図示せず）で固定されており、液晶素子２の下面（裏面）に接している。ヒートシンク７のうち、液晶素子２とは反対側の面は、放熱性を高める構造（例えば凹凸）を有していることが好ましい。
【００２２】
（１−２．投射型表示装置の構成）
図５は、上記液晶ライトバルブ２１を備えた投射型表示装置（投射型表示装置１０）の全体構成の一例を表したものである。投射型表示装置１０は、例えば、図示しない情報処理装置の画面に表示されている画像をスクリーン２０上に投影するものである。投射型表示装置１０は、反射型の液晶パネルをライトバルブとして使用した反射型液晶プロジェクタである。投射型表示装置１０は、例えば、赤、緑および青の各色用の液晶ライトバルブ２１（２１Ｒ，２１Ｇ，２１Ｂ）を３枚用いてカラー画像表示を行う、いわゆる３板方式の投射型表示装置である。投射型表示装置１０は、例えば、光源１１と、ダイクロイックミラー１２，１３と、全反射ミラー１４とを備えている。投射型表示装置１０は、さらに、例えば、偏光ビームスプリッタ１５，１６，１７と、合成プリズム１８と、投射レンズ１９とを備えている。なお、光源１１、ダイクロイックミラー１２，１３、全反射ミラー１４、偏光ビームスプリッタ１５，１６，１７および合成プリズム１８からなる光学系が、「照明光学系」の一具体例に相当する。また、投射レンズ１９が、「投影光学系」の一具体例に相当する。
【００２３】
光源１１は、カラー画像表示に必要とされる、赤色光、青色光および緑色光を含んだ白色光を発するものであり、例えばハロゲンランプ、メタルハライドランプまたはキセノンランプ等により構成されている。ダイクロイックミラー１２は、光源１１の光路ＡＸ上に配置されており、光源１１からの光を、青色光Ｂとその他の色光（赤色光Ｒ，緑色光Ｇ）とに分離する機能を有している。ダイクロイックミラー１３は、光源１１の光路ＡＸ上に配置されており、ダイクロイックミラー１２を通過した光を、赤色光Ｒと緑色光Ｇとに分離する機能を有している。全反射ミラー１４は、ダイクロイックミラー１２で反射された光の光路上に配置されており、ダイクロイックミラー１２によって分離された青色光Ｂを、偏光ビームスプリッタ１７に向けて反射するようになっている。
【００２４】
偏光ビームスプリッタ１５は、赤色光Ｒの光路上に配置されており、偏光分離面１５Ａにおいて、入射した赤色光Ｒを互いに直交する２つの偏光成分に分離する機能を有している。偏光ビームスプリッタ１６は、緑色光Ｇの光路上に配置されており、偏光分離面１６Ａにおいて、入射した緑色光Ｇを互いに直交する２つの偏光成分に分離する機能を有している。偏光ビームスプリッタ１７は、青色光Ｂの光路上に配置されており、偏光分離面１７Ａにおいて、入射した青色光Ｂを互いに直交する２つの偏光成分に分離する機能を有している。偏光分離面１５Ａ，１６Ａ，１７Ａは、一方の偏光成分（例えばＳ偏光成分）を反射し、他方の偏光成分（例えばＰ偏光成分）を透過するようになっている。
【００２５】
液晶ライトバルブ２１Ｒ，２１Ｇ，２１Ｂは、反射型の液晶パネルを含んで構成されたものであり、入力された映像信号に基づいて入射光を変調することにより、各色の映像光を生成するものである。液晶ライトバルブ２１Ｒは、偏光分離面１５Ａにおいて反射された赤色光Ｒの光路上に配置されている。液晶ライトバルブ２１Ｒは、例えば、赤色の映像信号に応じてパルス幅変調（ＰＷＭ）されたデジタル信号によって駆動され、それによって入射光を変調させると共に、その変調光を偏光ビームスプリッタ１５に向けて反射する機能を有している。液晶ライトバルブ２１Ｇは、偏光分離面１６Ａにおいて反射された緑色光Ｇの光路上に配置されている。液晶ライトバルブ２１Ｇは、例えば、緑色の映像信号に応じてパルス幅変調（ＰＷＭ）されたデジタル信号によって駆動され、それによって入射光を変調させると共に、その変調光を偏光ビームスプリッタ１６に向けて反射する機能を有している。液晶ライトバルブ２１Ｂは、偏光分離面１７Ａにおいて反射された青色光Ｂの光路上に配置されている。液晶ライトバルブ２１Ｂは、例えば、青色の映像信号に応じてパルス幅変調（ＰＷＭ）されたデジタル信号によって駆動され、それによって入射光を変調させると共に、その変調光を偏光ビームスプリッタ１７に向けて反射する機能を有している。
【００２６】
合成プリズム１８は、液晶ライトバルブ２１Ｒ，２１Ｇ，２１Ｂから出射され、偏光ビームスプリッタ１５，１６，１７を透過した各変調光の光路が互いに交差する位置に配置されている。合成プリズム１８は、各変調光を合成し、カラーの映像光を生成する機能を有している。投射レンズ１９は、合成プリズム１８から出射された映像光の光路上に配置されており、合成プリズム１８から出射された映像光を、スクリーン２０に向けて投射する機能を有している。
【００２７】
図６は、液晶ライトバルブ２１Ｒ，２１Ｇ，２１Ｂの全体構成の一例を表したものである。パネル部２２は、例えば、複数の画素２５がマトリクス状に形成された画素領域２４と、データ線駆動回路２６と、走査線駆動回路２７とを有している。パネル部２２は、各画素２５がデータ線駆動回路２６および走査線駆動回路２７によってアクティブ駆動されることにより、外部から入力されたデジタル信号に基づく画像を表示するものである。
【００２８】
パネル部２２は、行方向に延在する複数の書込線ＷＳＬと、列方向に延在する複数の信号線ＤＴＬとを有している。信号線ＤＴＬと書込線ＷＳＬとの交差部分に対応して、画素２５が設けられている。各信号線ＤＴＬは、データ線駆動回路２６の出力端（図示せず）に接続されている。各書込線ＷＳＬは、走査線駆動回路２７の出力端（図示せず）に接続されている。
【００２９】
データ線駆動回路２６は、例えば、外部から供給される１水平ライン分のデジタル信号を、各画素２５に信号電圧として供給するものである。具体的には、データ線駆動回路２６は、例えば、１水平ライン分のデジタル信号を、走査線駆動回路２７により選択された１水平ラインを構成する各画素２５に、信号線ＤＴＬを介してそれぞれ供給するものである。
【００３０】
走査線駆動回路２７は、例えば、外部から供給される走査タイミング制御信号に応じて、駆動対象の画素２５を選択する機能を有している。具体的には、走査線駆動回路２７は、例えば、走査線ＷＳＬを介して、選択パルスを画素２５の選択回路（図示せず）に印加することにより、マトリックス状に形成されている画素２５のうちの１行を駆動対象として選択するようになっている。そして、これらの画素２５では、データ線駆動回路２６から供給される信号電圧に応じて、１水平ラインの表示がなされる。このようにして、走査線駆動回路２７は、例えば、時分割的に１水平ラインずつ順次走査を行い、画素領域全体にわたった表示を行うようになっている。
【００３１】
次に、液晶ライトバルブ２１Ｒ，２１Ｇ，２１Ｂの内部構成について説明する。図７Ａ〜図７Ｃは、液晶ライトバルブ２１Ｒ，２１Ｇ，２１Ｂの一部を展開した時の平面構成の一例を表したものである。図７Ａは、反射光の出射される面側（上面側）の平面構成を表したものであり、図７Ｂは、反射光の出射される面とは反対側（下面側）の平面構成を表したものである。図７Ｃは、側面構成を表したものである。
【００３２】
ＦＰＣ４，５は、液晶素子２に対して、上述のデジタル信号や走査タイミング制御信号を供給するものである。ＦＰＣ４は、ＦＰＣ５よりも配線数の多いＦＰＣである。一方、ＦＰＣ５は、ＦＰＣ４よりも配線数の少ないＦＰＣである。ＦＰＣ４は、外部回路と接続する接続端子４Ａと、液晶素子２の一端と接続する接続端子４Ｂとを有している。ＦＰＣ５は、外部回路と接続する接続端子５Ａと、液晶素子２の他端（ＦＰＣ４が接続された端部とは反対側の端部）と接続する接続端子５Ｂとを有している。ＦＰＣ５は、液晶素子２の下面側に折り曲げたときに、ＦＰＣ５がＦＰＣ４の大半と重なり合うような形状となっていることが好ましい。ＦＰＣ５は、さらに、液晶素子２の下面側に折り曲げたときに、接続端子５Ａの面と接続端子４Ａの面とが互いに揃うような形状となっていることが好ましい。
【００３３】
ＦＰＣ５は、配線の形成されていない部位に開口部５Ｈを有している。開口部５Ｈは、例えば、図８Ａ〜図８Ｃに示したように、ＦＰＣ５を、ＦＰＣ４との関係で、液晶素子２の下面側に折り曲げたときに、液晶素子２がＦＰＣ５で覆われないようにするためにＦＰＣ５に設けた穴である。従って、ＦＰＣ５を、ＦＰＣ４との関係で、液晶素子２の下面側に折り曲げたときに、液晶素子２の下面は、開口部５Ｈ内に露出しているか、または、開口部５Ｈよりも外側に突出している。
【００３４】
図９Ａ〜図９Ｃは、ＦＰＣ４，５を含む液晶ライトバルブ２１Ｒ，２１Ｇ，２１Ｂの上面側（図９Ａ）、図９Ａに示したＡ−Ａ線における断面構成（図９Ｂ）および図９Ａに示したＢ−Ｂ線における断面構成（図９Ｃ）を表したものである。
【００３５】
次に、ＦＰＣ４，５の内部構成について説明する。図１０は、液晶ライトバルブ２１Ｒ，２１Ｇ，２１Ｂの断面構成例を表したものである。ＦＰＣ４は、例えば、液晶素子２に信号電位を与える信号電位層１４１と、液晶素子２に基準電位（例えばグラウンド電位）を与える基準電位層１４２とを、互いに絶縁した上で、積層した構造を有している。なお、信号電位層１４１に与えられる信号電位とは、例えば、映像信号に対応したデジタル信号や走査タイミング制御信号の電位等を含んでいる。ここで、液晶素子２の光出射面側を上、液晶素子２の光出射面とは反対側を下と定義したときに、ＦＰＣ４は、例えば、信号電位層１４１および基準電位層１４２を、互いに絶縁した上で、下から上に向かって積層した構造を有している。信号電位層１４１は、複数の帯状の配線で構成されている。信号電位層１４１内の各配線は、接続端子４Ａから接続端子４Ｂへ向かって延在しており、互いに電気的に絶縁されている。
【００３６】
ＦＰＣ４は、さらに、例えば、信号電位層１４１の下面側に配置された絶縁層１４３と、信号電位層１４１と基準電位層１４２との間に配置された絶縁層１４４と、基準電位層１４２の上面側に配置された絶縁層１４５とを有している。絶縁層１４４が信号電位層１４１と基準電位層１４２とを互いに絶縁している。絶縁層１４３が信号電位層１４１内の各配線を互いに絶縁している。
【００３７】
ＦＰＣ５は、例えば、液晶素子２に基準電位（例えばグラウンド電位）を与える基準電位層１５１と、液晶素子２に信号電位を与える信号電位層１５２とを、互いに絶縁した上で、積層した構造を有している。なお、信号電位層１５２に与えられる信号電位とは、例えば、映像信号に対応したデジタル信号や走査タイミング制御信号の電位等を含んでいる。ＦＰＣ５は、接続端子５Ｂから少し離れた部分に屈曲部５Ｃを有している。ＦＰＣ５のうち、屈曲部５Ｃとの関係で接続端子５Ａ側の部分（ＦＰＣ４と互いに重ね合わされている部分ａ）は、ＦＰＣ４との関係で液晶素子２の下面側に配置されている。ここで、ＦＰＣ５は、ＦＰＣ５のうち、屈曲部５Ｃとの関係で接続端子５Ｂ側の部分に、基準電位層１５１および信号電位層１５２の積層順を逆転させるコンタクト１５６を有している。
【００３８】
コンタクト１５６は、接続端子５Ｂにおいて液晶素子２の下面側に配置された導電層と、接続端子５Ｂから離れた部分において液晶素子２の上面側に配置された導電層とを互いに電気的に接続している。さらに、コンタクト１５６は、接続端子５Ｂにおいて液晶素子２の上面側に配置された導電層と、接続端子５Ｂから離れた部分において液晶素子２の下面側に配置された導電層とを互いに電気的に接続している。ここで、液晶素子２の光出射面側を上、液晶素子２の光出射面とは反対側を下と定義すると、ＦＰＣ５のうち、コンタクト１５６との関係で接続端子５Ｂ側の部分は、信号電位層１５２および基準電位層１５１を、互いに絶縁した上で、下から上に向かって積層した構造を有している。一方、ＦＰＣ５のうち、コンタクト１５６との関係で接続端子５Ａ側の部分についても、信号電位層１５２および基準電位層１５１を、互いに絶縁した上で、下から上に向かって積層した構造を有している。従って、ＦＰＣ４，５のうち、互いに重ね合わされた部分（図中の重ね合わせ部分ａ）は、下から上に向かって、信号電位層１５２、基準電位層１５１、信号電位層１４１、基準電位層１４２の順に配置されている。
【００３９】
信号電位層１５２は、複数の帯状の配線で構成されている。信号電位層１５２内の各配線は、接続端子５Ａから接続端子５Ｂへ向かって延在しており、互いに電気的に絶縁されている。ＦＰＣ５は、さらに、例えば、信号電位層１５２の外側に配置された絶縁層１５５と、信号電位層１５２と基準電位層１５１との間に配置された絶縁層１５４と、基準電位層１５１の外側（ＦＰＣ４側）に配置された絶縁層１５３とを有している。絶縁層１５４が信号電位層１５２と基準電位層１５１とを互いに絶縁している。絶縁層１５５が信号電位層１５２内の各配線を互いに絶縁している。
【００４０】
（１−３．投射型表示装置の動作）
本実施の形態の投射型表示装置１０では、光源１１から出射された白色光は、まず、ダイクロイックミラー１２によって青色光Ｂとその他の色光（赤色光Ｒおよび緑色光Ｇ）とに分離される。このうち青色光Ｂは、全反射ミラー１４によって、偏光ビームスプリッタ１７に向けて反射される。一方、赤色光Ｒおよび緑色光Ｇは、ダイクロイックミラー１３によって、さらに、赤色光Ｒと緑色光Ｇとに分離される。分離された赤色光Ｒは、偏光ビームスプリッタ１５に入射し、分離された緑色光Ｇは、偏光ビームスプリッタ１６に入射する。
【００４１】
偏光ビームスプリッタ１５，１６，１７において、入射した各色光は、偏光分離面１５Ａ，１６Ａ，１７Ａにおいて、互いに直交する２つの偏光成分に分離される。このとき、一方の偏光成分（例えばＳ偏光成分）が液晶ライトバルブ２１Ｒ，２１Ｇ，２１Ｂに向けて反射される。このとき、各液晶ライトバルブ２１Ｒ，２１Ｇ，２１Ｂは、各色の映像信号に応じてパルス幅変調（ＰＷＭ）されたデジタル信号によって駆動されているので、それによって各偏光光が画素２５ごとに変調されると共に、その変調光が偏光ビームスプリッタ１５，１６，１７を透過して、合成プリズム１８へ入射する。各変調光は、合成プリズム１８で合成され、それによって得られたカラーの映像光が投射レンズ１９によってスクリーン２０に投射される。このようにして、カラーの映像がスクリーン２０に表示される。
【００４２】
（１−４．作用・効果）
前述したように、プロジェクタには、さらなる表示品位の向上が期待されている。しかしながら、プロジェクタの表示品位を向上させるためには、液晶表示素子の光学部材の製造過程において、以下の２つの課題がある。１つ目は、光学部品と液晶表示素子の位置ずれによって生じる表示画面における色ずれである。２つ目は、液晶表示素子に加わる外部応力によって生じる表示ムラである。
【００４３】
光学部品と液晶表示素子の位置ずれの原因としては、液晶表示素子を電気的に接続するフレキシブルプリント配線基板の曲げ反力や、その他の外力が挙げられる。特に、３板方式のプロジェクタにおいては、液晶表示素子の位置ずれ（画素ずれ）のことをレジずれと呼ぶ。表示ムラの原因となる外部応力としては、液晶表示素子に周辺部材から印加される外力と、液晶表示素子を構成する各部材の熱膨張率の差およびヤング率の差によって生じる接合部の内部応力とが挙げられる。これら周辺部材からの外力や接合部の内部応力が液晶表示素子に印加されると、液晶表示素子を構成するガラス部材に複屈折が発生し、表示面内の輝度ムラ（表示ムラ）となる。
【００４４】
上記２つの課題のうち、色ずれの解決方法としては、液晶表示素子を固定する接着部の剛性を上げることが考えられる。表示ムラに関しては、一般に、液晶表示素子を固定する接着部から印加される応力を緩和のために、接着部の剛性を下げることが考えられる。このように、色ずれと表示ムラとは、互いにトレードオフの関係にあるため、色ずれと表示ムラとを同時に改善することは難しい。
【００４５】
これに対して、本実施の形態の投射型表示装置１０では、パネル部２２の側面と裏面とを用いて台座部６の固定するようにした。これにより、パネル部２２を台座部６に対して十分な接合強度での固定が可能となり、パネル部２２の位置ずれの発生を抑制することが可能となる。また、パネル部２２の側面と台座部６とを接合する接合部材（第１の接合部材）として、パネル部２２の裏面と台座部６との接合部材（第２の接合部材）よりもヤング率の大きな接合部材を用いるようにした。台座部６から第２の接合部材を介してパネル部２２（特に、液晶素子２）に印加される応力を低減することが可能となる。
【００４６】
以上により、本実施の形態では、パネル部２２の側面および裏面を用いて台座部６に固定したので、パネル部２２が台座部６に十分な接合強度で固定されるようになる。よって、位置ずれの発生が抑制され、表示画面における色ずれの発生を低減することが可能となる。また、パネル部２２の側面と台座部６との接合部（側面接合部６１Ａ）を形成する第１の接合部材として、パネル部２２の裏面と台座部６との接合面（裏面接合部６１Ｂ）を形成する第２の接合部材よりもヤング率の大きな接合部材を用いるようにした。これにより、台座部６から液晶素子２に裏面接合部６１Ｂを介して印加される応力が低減され、表示ムラの発生を低減することが可能となる。よって、表示画面における色ずれおよび表示ムラの両方の発生を抑制することが可能となり、優れた表示品位を有する投射型表示装置を実現することができる。
【００４７】
また、本実施の形態では、上記のように、パネル部２２の側面および裏面を用いて台座部６に固定したので、側面接合部６１Ａを形成する第１の接合部材として一般に用いられている接合部材よりもヤング率の小さな接合部材を選択したとしても十分な接合強度を確保することが可能となる。更に、第１の接合部材としてヤング率の小さな接合部材を用いることにより、第１の接合部材（側面接合部６１Ａ）を介して液晶素子２に印加される応力を低減することが可能となり、表示ムラの発生をより低減することが可能となる。
【００４８】
更にまた、裏面接合部６１Ｂの厚みを薄く（例えば、５０μｍ以上５００μｍ以下）することで、裏面接合部６１Ｂを形成する第２の接合部材としてヤング率の小さな接合部材を用いても、例えば、せん断方向（Ｘ軸方向）の荷重に対して十分な強度を確保することが可能となり、位置ずれによって生じる色ずれの発生をより低減することが可能となる。また、Ｘ軸方向だけでなく、Ｙ軸方向の荷重に対しても十分な強度を確保することが可能となる。
【００４９】
次に、本開示の第２〜第５の実施の形態および変形例（変形例１，２）ついて説明する。以下では、上記第１の実施の形態と同様の構成要素については同一の符号を付し、適宜その説明を省略する。
【００５０】
＜２．第２の実施の形態＞
図１１は、本開示の第２の実施の形態に係る液晶ライトバルブ３１の平面構成を模式的に表したものである。図１２は、図１１に示した液晶ライトバルブ３１のＩＩ−ＩＩ線における断面構成を表したものである。液晶ライトバルブ３１は、上記第１の実施の形態における液晶ライトバルブ２１と同様に、例えば、液晶素子２および保護基板３を含むパネル部２２と、パネル部２２に接続されたＦＰＣ２３とを有し、さらに、パネル部２２を保持する台座部６を有している。本実施の形態の液晶ライトバルブ３１は、台座部６に設けられた開口部６Ｈ１の底面部６Ｂの周縁部に溝部６２が設けられている点が、上記第１の実施の形態とは異なる。
【００５１】
溝部６２は、台座部６の底面部６Ｂの周縁、具体的には、パネル部２２と対向する領域の内側、且つ、画素領域２４の外側に設けられている。溝部６２は、例えば、図１１に示したように、底面部６Ｂの周縁を一周するように連続して設けられていてもよいし、断続して形成されていてもよい。具体的には、少なくとも、パネル部２２の裏面と台座部６の底面部６Ｂとを接合する裏面接合部６１Ｂの近傍に設けられていればよい。これにより、裏面接合部６１Ｂを形成する第２の接合部材の広がりを防ぐことが可能となる。
【００５２】
このように、台座部６の底面部６Ｂの、パネル部２２と対向する領域の内側に溝部６２を設けるようにしたので、裏面接合部６１Ｂを形成する第２の接合部材の広がりを防ぐことが可能となる。よって、裏面接合部６１Ｂを介して液晶素子２に印加される応力のばらつきを低減することが可能となり、上記第１の実施の形態における効果に加えて、より表示ムラの発生を抑制することが可能となるという効果を奏する。
【００５３】
＜３．第３の実施の形態＞
図１３は、本開示の第３の実施の形態に係る液晶ライトバルブ４１の平面構成を模式的に表したものである。図１４は、図１３に示した液晶ライトバルブ４１のＩＩＩ−ＩＩＩ線における断面構成を表したものである。液晶ライトバルブ４１は、上記第１の実施の形態等における液晶ライトバルブ２１等と同様に、例えば、液晶素子２および保護基板３を含むパネル部２２と、パネル部２２に接続されたＦＰＣ２３とを有し、さらに、パネル部２２を支持する台座部６を有している。本実施の形態の台座部６は、液晶素子２と対向する部分に設けられた開口部６Ｈ１の底面の、パネル部２２と対向する領域の四隅に、環状の溝部６３が設けられている点が、上記第１の実施の形態および第２の実施の形態とは異なる。
【００５４】
上記底面部６Ｂのパネル部２２との対向する領域の四隅とは、裏面接合部６１Ｂを形成する位置である。図１４に示したように、環状の溝部６３の内側に、裏面接合部６１Ｂを設けることにより、裏面接合部６１Ｂを形成する第２の接合部材の広がりを防ぎ、パネル部２２における裏面接合部６１Ｂの面積を揃えることが可能となる。環状の溝部６３の内部の面積は、裏面接合部６１Ｂを形成する第２の接合部材の膨張・収縮によりパネル部２２が平面方向にほとんど変位しない程度の面積を有していればよい。
【００５５】
このように、パネル部２２の裏面と対向する領域の四隅に環状の溝部６３を設け、この環状の溝部６３の内部に裏面接合部６１Ｂを形成するようにしたので、裏面接合部６１Ｂを形成する第２の接合部材の広がりを防ぐと共に、裏面接合部６１Ｂを介して液晶素子２に印加される応力を略一定にすることが可能となる。また、第２の接合部材が、パネル部２２の側面にまで回り込んで、パネル部２２の側面と、台座部６とが第２の接合部材を介して互いに接着されるのを防ぐことができる。よって、上記第２の実施の形態よりも、さらに表示ムラの発生を抑制することが可能となる。
【００５６】
なお、図１３では、環状の溝部６３として、円形状に溝を示したが、これに限定されず、異なる形状となっていてもよい。
【００５７】
＜４．第４の実施の形態＞
図１５は、本開示の第４の実施の形態に係る液晶ライトバルブ５１の平面構成を模式的に表したものである。図１６は、図１５に示した液晶ライトバルブ５１のＩＶ−ＩＶ線における断面構成を表したものである。液晶ライトバルブ５１は、上記第１の実施の形態等における液晶ライトバルブ２１等と同様に、例えば、液晶素子２および保護基板３を含むパネル部２２と、パネル部２２に接続されたＦＰＣ２３とを有し、さらに、パネル部２２を支持する台座部６を有している。本実施の形態の台座部６は、液晶素子２と対向する部分に設けられた開口部６Ｈ１の底面部６Ｂの周縁部に窪み６４が設けられている点が上記第１の実施の形態とは異なる。
【００５８】
窪み６４は、側面接合部６１Ａを形成する第１の接合部材がパネル部２２の裏面に周りこむのを防止するためのものであり、少なくとも、側面接合部６１Ａの下方に設けられていればよい。
【００５９】
本実施の形態では、少なくとも、側面接合部６１Ａの下方に窪み６４を設けるようにしたので、側面接合部６１Ａを形成する第１の接合部材がパネル部２２の裏面に回り込み、台座部６の底面と、パネル部２２の裏面とが、第１の接合部材を介して接合されることを防ぐことが可能となる。これにより、第１の接合部材によってパネル部２２の裏面に内部応力が印加されるのを防ぐことが可能となる。よって、上記第１の実施の形態における効果に加えて、表示ムラの発生をさらに抑制することが可能となるという効果を奏する。
【００６０】
＜５．第５の実施の形態＞
図１７は、本開示の第５の実施の形態に係る液晶ライトバルブ６１の平面構成を模式的に表したものである。図１８は、図１７に示した液晶ライトバルブ６１のＶ−Ｖ線における断面構成を表したものである。液晶ライトバルブ６１は、上記第１の実施の形態等における液晶ライトバルブ２１等と同様に、例えば、液晶素子２および保護基板３を含むパネル部２２と、パネル部２２に接続されたＦＰＣ２３とを有し、さらに、パネル部２２を保持する台座部６を有している。本実施の形態の液晶ライトバルブ６１は、台座部６の底面部６Ｂに、パネル部２２の裏面と接する支持部６５の内側に窪み６６を形成し、この窪み６６内に熱伝導性に優れた第２の接合部材（例えば、熱伝導接着剤）を流し込み、パネル部２２の例えば裏面全体を裏面接合部６１Ｂを介して台座部６に固定するようにし、さらに、台座部６の支持面とは反対側の面に、例えば複数のフィンを有する放熱構造６７を設けたものである。
【００６１】
このように、パネル部２２の裏面の接合部材として熱伝導性に優れた接合部材を選択し、例えば、パネル部２２の裏面全体を台座部６に接合し、さらに、パネル部２２の下方に放熱構造６７を設けることにより、上記第１の実施の形態における効果に加えて、冷却性能を向上させることが可能となるという効果を奏する。
【００６２】
＜６．変形例＞
（６−１．変形例１）
図１９は、上記第１〜第５の実施の形態に示した液晶ライトバルブ２１，３１，４１，５１，６１のいずれを備えた投射型表示装置（投射型表示装置７０）の構成の一例を表したものである。この投射型表示装置７０は、光源（光源１１）から画像光を生成し、例えば、後述するヘッドアップディスプレイのスクリーン部２７０に画像を投影するものである。投射型表示装置１は、反射型の液晶パネル（液晶ライトバルブ７４）を１枚用いてカラー画像表示を行う、いわゆる単板方式の反射型プロジェクタであり、この液晶ライトバルブ７４に、本開示の液晶ライトバルブ２１，３１，４１，５１，６１が適用される。
【００６３】
この投射型表示装置７０は、白色光をそれぞれ出射する光源１１を有し、出射光の光軸１３０に沿って、ＲＧＢ分割フィルタ７１、ハーフミラー７２、偏光板７３、液晶ライトバルブ７４、アパーチャ７５および投射レンズ７６を備えている。光源１１は、例えばハロゲンランプ、メタルハライドランプまたはキセノンランプ等により構成されている。また、例えば半導体レーザ（ＬＤ）または発光ダイオード（ＬＥＤ）等の固体光源を用いてもよい。
【００６４】
投射型表示装置７０では、例えば、光源１１Ｒから出射される白色光（Ｗ）は、白色光（Ｗ）を赤色光（Ｒ）、緑色光（Ｇ）および青色光（Ｂ）に時間分割するＲＧＢ分割フィルタ７１を透過してハーフミラー７２に入射し、一部が反射され、偏光板７３を経て液晶ライトバルブ７４に入射するようになっている。なお、光源１１の出射光の光路上にはコンデンサレンズや、必要に応じてリレーレンズ等が設けられている。
【００６５】
液晶ライトバルブ７４に入射した光は、液晶素子２内の反射面で反射され、再度、偏光板７３を通過し、ハーフミラー７２に入射し、一部が透過するようになっている。ハーフミラー７２を透過した光は、アパーチャ７５によって不要光がカットされ、投射レンズ７６によってスクリーン（図示せず）に拡大投影される。
【００６６】
（６−２．変形例２）
図２０は、本開示の変形例に係る投射型表示装置（投射型表示装置８０）の全体構成の一例を表したものである。投射型表示装置８０は、透過型の液晶パネル（液晶ライトバルブ８９Ｒ，８９Ｇ，８９Ｂ）により光変調を行う透過型３板方式のプロジェクタである。本変形例における投射型表示装置８０は、例えば、投射型表示装置８０は、例えば、光源１１と、ダイクロイックミラー８１，８２と、ミラー８３，８４，８５と、リレーレンズ８６，８７とフィールドレンズ８８Ｒ，８８Ｇ，８８Ｂと、液晶ライトバルブ８９Ｒ、８９Ｇ，８９Ｂ、ダイクロイックプリズム９０とを備えている。液晶ライトバルブ８９Ｒ、８９Ｇ，８９Ｂには、本開示の液晶ライトバルブ２１，３１，４１，５１，６１が適用される。
【００６７】
光源１１は、カラー画像表示に必要とされる、赤色光、青色光および緑色光を含んだ白色光を発するものであり、例えばハロゲンランプ、メタルハライドランプまたはキセノンランプ等により構成されている。
【００６８】
ダイクロイックミラー８１およびダイクロイックミラー８２は、所定の波長域の色光を選択的に反射し、それ以外の波長域の光を透過させる性質を有する。例えば、ダイクロイックミラー８１は、赤色光Ｒを選択的に反射する。ダイクロイックミラー８２は、ダイクロイックミラー８１を透過した緑色光Ｇおよび青色光Ｂのうち、緑色光Ｇを選択的に反射する。残る青色光Ｂが、ダイクロイックミラー８２を透過する。これにより、光源１１から出射された光（白色光）が、異なる色の複数の色光に分離される。
【００６９】
分離された赤色光Ｒは、ミラー８３により反射され、フィールドレンズ８８Ｒを通ることによって平行化された後、赤色光の変調用の液晶ライトバルブ８９Ｒに入射する。緑色光Ｇは、フィールドレンズ８８Ｇを通ることによって平行化された後、緑色光の変調用の液晶ライトバルブ８９Ｇに入射する。青色光Ｂは、リレーレンズ８６を通ってミラー８４により反射され、さらにリレーレンズ８７を通ってミラー８５により反射される。ミラー８５により反射された青色光Ｂは、フィールドレンズ８８Ｂを通ることによって平行化された後、青色光Ｂの変調用の液晶ライトバルブ８９Ｂに入射する。
【００７０】
液晶ライトバルブ８９Ｒ、８９Ｇおよび８９Ｂは、画像情報を含んだ画像信号を供給する図示しない信号源（例えば、ＰＣ等）と電気的に接続されている。液晶ライトバルブ８９Ｒ、８９Ｇおよび８９Ｂは、供給される各色の画像信号に基づき、入射光を画素毎に変調し、それぞれ赤色画像、緑色画像および青色画像を生成する。変調された各色の光（形成された画像）は、ダイクロイックプリズム９０に入射して合成される。ダイクロイックプリズム９０は、３つの方向から入射した各色の光を重ね合わせて合成し、投射レンズ９１に向けて出射する。
【００７１】
投射レンズ９１は、ダイクロイックプリズム９０から出射された映像光の光路上に配置されており、ダイクロイックプリズム９０から出射された映像光を、スクリーン９２に向けて投射する機能を有している。
【００７２】
以上、第１〜第５の実施の形態および変形例１，２を挙げて本開示を説明したが、本開示は上記実施の形態等に限定されるものではなく、種々変形が可能である。例えば、上記第１の実施の形態では、矩形形状のパネル部２２を例に示したが、これに限らない。例えば、三角形、六角形、および八角形、あるいは、円形でも、パネル部２２が上記第１の接合部材および第２の接合部材を用いた側面接合部６１Ａおよび裏面接合部６１Ｂを介して台座部６に固定されていれば、本開示の効果は得られる。
【００７３】
更に、上記実施の形態等では、各光学系の構成要素を具体的に挙げて説明したが、全ての構成要素を備える必要はなく、また、他の構成要素を更に備えていてもよい。
【００７４】
なお、本開示は以下のような構成を取ることも可能である。
（１）
液晶表示素子と、
前記液晶表示素子を保持する台座部とを備え、
前記液晶表示素子は、側面が第１の接合部材によって、裏面が第２の接合部材によって前記台座部に接合されており、
前記第１の接合部材のヤング率は、前記第２の接合部材のヤング率よりも大きい
投射型表示装置。
（２）
前記第１の接合部材のヤング率は、３Ｎ／ｍｍ2以上２１０Ｎ／ｍｍ2以下であり、
前記第２の接合部材のヤング率は、０．１Ｎ／ｍｍ2以上２．５Ｎ／ｍｍ2以下である、前記（１）に記載の投射型表示装置。
（３）
前記第１の接合部材を介して前記液晶表示素子の側面と前記台座部とが接合された１または複数の第１の接合部と、
前記第２の接合部材を介して前記液晶表示素子の裏面と前記台座部とが接合された１または複数の第２の接合部とを有し、
前記第１の接合部と前記第２の接合部とは、互いに離間した位置に配置されている、前記（１）または（２）に記載の投射型表示装置。
（４）
前記台座部は一の面に第１の開口部を有し、
前記第１の開口部は、前記液晶表示素子の裏面と接合される底面部と、前記液晶表示素子の側面と接合される側面部とを有する、前記（３）に記載の投射型表示装置。
（５）
前記台座部は、前記底面部の前記液晶表示素子の裏面との対向領域の内側に溝を有する、前記（４）に記載の投射型表示装置。
（６）
前記台座部は、前記底面部の前記液晶表示素子の裏面との対向領域の内側に環状の溝を有し、前記環状の溝の内側に前記第２の接合部が設けられている、前記（４）または（５）に記載の投射型表示装置。
（７）
前記台座部は、前記底面部の周縁の少なくとも一部に窪みが形成されている、前記（５）または（６）に記載の投射型表示装置。
（８）
前記窪みは、前記第１の接合部の下方に形成されている、前記（７）に記載の投射型表示装置。
（９）
前記液晶表示素子は矩形形状を有する場合に、前記第１の接合部は、少なくとも３箇所形成されている、前記（３）乃至（８）のうちのいずれかに記載の投射型表示装置。
（１０）
前記台座部は、前記一の面とは反対側の他の面に放熱構造を有する、前記（４）乃至（９）のうちのいずれかに記載の投射型表示装置。
（１１）
前記台座部は、前記一の面とは反対側の他の面の一部に第２の開口部を有し、前記第２の開口部内にヒートシンクが配設されている、前記（４）乃至（１０）のうちのいずれかに記載の投射型表示装置。
（１２）
前記第１の接合部材は、接着剤である、前記（１）乃至（１１）のうちのいずれかに記載の投射型表示装置。
（１３）
前記第２の接合部材は、接着剤または粘着剤である、前記（１）乃至（１２）のうちのいずれかに記載の投射型表示装置。
（１４）
前記第２の接合部材は、熱伝導接着剤である、前記（１）乃至（１３）のうちのいずれかに記載の投射型表示装置。
（１５）
照明光学系と、
前記液晶表示素子を有し、入力された映像信号に基づいて前記照明光学系からの光を変調することにより、画像光を生成する画像生成部と、
前記画像生成部で生成された画像光を投射する投射光学系とを備える、前記（１）乃至（１４）のうちのいずれかに記載の投射型表示装置。
【符号の説明】
【００７５】
１０，７０，８０…投射型表示装置、２…液晶素子、３…保護基板、４，５，２３…ＦＰＣ、４Ａ，４Ｂ，５Ａ，５Ｂ…接続端子、５Ｃ…屈曲部、５Ｈ…開口部、６…台座部、６Ａ…側面部、６Ｂ…底面部、６Ｈ…開口、７…ヒートシンク、８…固定部、８Ａ…固定面、８Ｂ…溝、９…接着層、１１…光源、１２，１３…ダイクロイックミラー、１４…全反射ミラー、１５，１６，１７…偏光ビームスプリッタ、１５Ａ，１６Ａ，１７Ａ…偏光分離面、１８…合成プリズム、１９…投射レンズ、２０…スクリーン、２１，２１Ｒ，２１Ｇ，２１Ｂ，３１，４１，５１，６１…液晶ライトバルブ、２２…パネル部、２４…画素領域、２５…画素、２６…データ線駆動回路、２７…走査線駆動回路、１４１，１５２…信号電位層、１４２，１５１…基準電位層、１４３，１４４，１４５，１５３，１５４，１５５…絶縁層、１５６…コンタクト、ａ…重ね合わせ部分、ＡＸ…光路、Ｒ…赤色光、Ｇ…緑色光、Ｂ…青色光、ＤＴＬ…信号線、ＷＳＬ…走査線。
【図１】
2018081284.tif 000003
【図２】
2018081284.tif 000004
【図３Ａ】
2018081284.tif 000005
【図３Ｂ】
2018081284.tif 000006
【図３Ｃ】
2018081284.tif 000007
【図４】
2018081284.tif 000008
【図５】
2018081284.tif 000009
【図６】
2018081284.tif 000010
【図７Ａ】
2018081284.tif 000011
【図７Ｂ】
2018081284.tif 000012
【図７Ｃ】
2018081284.tif 000013
【図８Ａ】
2018081284.tif 000014
【図８Ｂ】
2018081284.tif 000015
【図８Ｃ】
2018081284.tif 000016
【図９Ａ】
2018081284.tif 000017
【図９Ｂ】
2018081284.tif 000018
【図９Ｃ】
2018081284.tif 000019
【図１０】
2018081284.tif 000020
【図１１】
2018081284.tif 000021
【図１２】
2018081284.tif 000022
【図１３】
2018081284.tif 000023
【図１４】
2018081284.tif 000024
【図１５】
2018081284.tif 000025
【図１６】
2018081284.tif 000026
【図１７】
2018081284.tif 000027
【図１８】
2018081284.tif 000028
【図１９】
2018081284.tif 000029
【図２０】
2018081284.tif 000030